Podtech/llm-jp-corpus-v4-ja_patent huggingface dataset:
(57)【要約】      （修正有）【課題】かご室では、壁の絵柄や絵等を交換したい場合に、かご室の壁全てをばらしてからかご室の壁を取り換えなくてはならないため、多大な労力が必要であった。また、かご室の壁の柄を変更する装置では、壁の厚みスペースが大きく必要で機構が複雑になり高価になるといった問題があった。【解決手段】かご室１の壁表面１ａへ絵柄の異なるパネル４ａ、４ｂ、４ｃを複数備え、それらをガイド３ａで軸支し、好みのパネルに容易に入れ換えできるようにした。しかもかご室に人のいないのを検出し自動でパネルを換えることもできる。簡単な装置で広告や絵柄をかえることができるようになった。簡便なので安価で重量の増加も少なくて好都合である。【選択図】図１
2010070297.tif 000002
【特許請求の範囲】
【請求項１】
乗客が乗降するかご室において、かご室の壁に水平に配した固定軸と、軸の両端に配したガイドとパネルの押え金具を備えて、前記ガイドを介して軸の周りに回転可能なパネルを複数備えたことを特徴とするエレベータのかご室。
【請求項２】
前記固定軸を鉛直にし、パネルを鉛直軸固定軸に対して水平方向に回転可能にしたことを特徴とする請求項１項に記載のエレベータのかご室。
【請求項３】
かご室内に人を感知するセンサーを備え、定期的かつ自動でパネルを変更できる機構を備えたえたことを特徴とする請求項１項、および請求項２項に記載のエレベータのかご室。
【請求項４】
前記パネルの変更機構はスパイラル型押さえ金具と軸と駆動機構を備えたことを特徴とする請求項１項から請求項３項に記載のエレベータのかご室。
【請求項５】
前記パネルを支持する固定軸の両端に配したガイドを半円錐形としたことを、特徴とする請求項１項から請求項４項に記載のエレベータのかご室。
【発明の詳細な説明】
【技術分野】
【０００１】
この発明はエレベータかご室の壁パネルの広告や絵柄を変えるため、壁の表面にパネルを複数備え、それらを入れ変えする技術である。
【背景技術】
【０００２】
従来は、かご室に広告等を載せたい場合、ポスター等をかご室壁にテープ等で貼り付けていた。また壁に直接絵柄を書き込むこともしていた。
そのほか文献１に示すように壁パネルを三角柱で構成し壁パネルを回転させ絵柄を変える装置を備えたものもあった。
【０００３】
【特許文献１】特開２００７−２０４１６０（第１図、第２図）
【発明の開示】
【発明が解決しようとする課題】
【０００４】
かご室では、広告や絵等を交換したい場合に、かご室壁全てをばらしてからかご室の壁を取り換えなくてはならないため、多大な労力が必要であった。
また、特許文献１に示すようなかご室の壁の柄を変更する方法では、壁の厚みスペースが大きく必要で機構が複雑で高価になるといった問題があった。
【課題を解決するための手段】
【０００５】
かご室の壁表面へ絵柄の異なるパネルを複数備え、それらをガイドで軸支し、好みのパネルに容易に入れ換えできるようにした。
【発明の効果】
【０００６】
簡単な装置で広告や絵柄をかえることができるようになった。簡便なのでかごの価格も重量の増加も少なくて好都合である。
【発明を実施するための最良の形態】
【０００７】
実施の形態１.
図１は実施の形態１を示すエレベータのかご室斜視図である。
図において、１はかご室、１aは側面壁、１ｂは側面壁、１ｃは背面壁、１ｄは袖壁、２は操作盤、３aはガイド、３ｂは凸型抜止部、４aはパネル、４ｂはパネル、４ｃはパネル、４ｄは凹部、５は止め金具、６は固定軸、９はかご床、１０はエプロン、１１はかごの敷居である。
【０００８】
側面壁１ａ、１ｂと、正面壁１ｃに囲まれたかご室において、ガイド３aに軸支された複数のパネル４a、４ｂ、４ｃを備え、ガイド３ａを繋ぐ固定軸６を回転軸に、各パネルが回転することで、広告や絵等を変更することができる。パネル４ａ〜４ｃは、押さえ金具５により普段は保持されており、パネルが倒れこむようなことはない。
【０００９】
このため手動で押さえ金具の押さえ部を外し、パネルをガイド３ａを軸受にして回転させることで容易に好みの絵柄や広告のパネルを選ぶことができる。
この装置は簡便なので安価である、しかもかご室の重量の増加も少なくて済む。
【００１０】
実施の形態２.
図２は実施の形態２を示すエレベータのかご室斜視図である。
図において、４eはパネル、４ｆはパネル、４ｇはパネルである。
本例ではガイド３ａを側面壁１ａと正面壁１ｃとの境目の上下に配置し固定軸６を垂直にすることで、１つのパネルセットで側面壁と正面壁の２面の意匠を形作ることもできる。
【００１１】
これによりかご室パネル全体の絵柄を変えることもできるので、かご室の雰囲気をがらりと変えることができる。
【００１２】
実施の形態３.
図３は実施の形態３を示すエレベータのかご室斜視図である。図において、３ｃはガイド、３ｄは凸部、４ｈは円錐型切欠部、４ｋは凸型抜止部である。
本例ではパネルのガイドの形状を半円錐形にしたものである。こうすることで対向する壁面のガイドと互いに接することができるので、かご室のコーナーいっぱいまでパネルを取付ることができる。
従ってコーナーを挟んだ側面壁にもパネルを設置することができる。
【００１３】
このためかご室のコーナー部も隙間なくパネルを設置することができる。
【００１４】
実施の形態４.
図４は実施の形態４を示すかご室の斜視図である。図において、７は押さえ金具の軸、８はスパイラル型の押さえ金具である。
本例では実施の形態１と同じものを、任意にあるいは自動的にパネルの絵柄を変えることができるようにしたものを示す。
パネルの押さえ金具は図示は省略した駆動機の軸にスパイラル型の押さえ金具を備え、駆動機構で回転させることでパネルを一枚一枚順に外して落下させることができる。これによりパネルを順に変えることができる。
【００１５】
実施の形態１と同じものの入れ換え操作が遠隔、または自動でできる。
【図面の簡単な説明】
【００１６】
【図１】は実施の形態１を示すエレベータのかご室斜視図。
【図２】は実施の形態２を示すエレベータのかご室斜視図。
【図３】は実施の形態３を示すエレベータのかご室斜視図。
【図４】は実施の形態４を示すエレベータのかご室斜視図。
【符号の説明】
【００１７】
１はかご室、１aは側面壁、１ｂは側面壁、１ｃは背面壁、１ｄは袖壁、２は操作盤、３aはガイド、３ｂは凸型抜止部、３ｃは円錐型ガイド、３ｄは凸型抜止部、４aはパネル、４ｂはパネル、４ｃはパネル、４ｄは凹部、４eはパネル、４ｆはパネル、４ｇはパネル、４ｈは円錐型切欠部、４ｋは凸型抜止部、５は止め金具、６は固定軸、７は押さえ金具の軸、８はスパイラル型の押さえ金具、９はかご床、１０はエプロン、１１はかごの敷居
【図１】
2010070297.tif 000003
【図２】
2010070297.tif 000004
【図３】
2010070297.tif 000005
【図４】
2010070297.tif 000006
(57)【要約】【課題】  持ち手を手で握ることで持ち上げ運んでいた。握るということで握力を、引き上げるために腕の力をそれぞれに必要としていた。特に握力を多く必要とすることで大きな負担になっていた。【解決手段】  図１（ａ）（ｂ）に示すように、袋物本体１には握るための持ち手２とループ状の手の甲に掛けるための掛け手３が設けられている。掛け手３は、柔軟性を持ち手の甲に負担を掛けないように手の甲に当たる部位４は幅広になっている。また、掛け手８のループの大きさは、持ち手２より大きくなっている。【選択図】図１
2010070259.tif 000002
【特許請求の範囲】
【請求項１】
下記の要件を特徴とする、袋物の持ち手
（ア）左右一対の部材から構成されており、少なくとも一方の部材（以下部材Ａという）は柔軟性を持ちループ状になっていること。
（イ）もう一方の部材（以下部材Ｂという）は、手で握れる形状になっていること。
（ウ）部材Ａのループの大きさは、部材Ｂの外周よりも大きくなっていること。
（エ）手の甲に掛ける部材Ａは、部材の全部、若しくは中央部の幅を広げるが、部材を付加することで幅広肉厚になっていて、手の甲の負担を軽減するようになっていること。
【発明の詳細な説明】
【技術分野】
【０００１】  本願発明は、鞄やバック、手提げ袋などの袋物の持ち手に関するものである。
【背景技術】
【０００２】  従来袋物には、手で握って持ち運ぶための持ち手が備えられている。
【発明の開示】
【発明が解決しようとしている課題】
【０００３】  従来の持ち手は一つ若しくは、左右一対の部材からなり、その部材を手で握ることで持ち上げ運んでいた。握るということで握力を、引き上げるために腕の力をそれぞれに必要としていた。特に持ち上げる動作は、握るという行為が多くを占め、握力を長時間必要とすることで大きな負担になっていた。
【課題を解決するための手段】
【０００４】  本願請求項に記載の発明に係る袋物の持ち手の構造は、上記の課題を解決するため、下記の構成を有している。
（ア）左右一対の部材から構成されており、少なくとも一方の部材（以下部材Ａという）は柔軟性を持ちループ状になっていること。
（イ）もう一方の部材（以下部材Ｂという）は、手で握れる形状になっていること。
（ウ）部材Ａのループの大きさは、部材Ｂの外周よりも大きくなっていること。
（エ）手の甲に掛ける部材Ａは、部材の全部、若しくは中央部の幅を広げるか、部材を付加することで幅広肉厚になっていて、手の甲の負担を軽減するようになっていること。
【発明の効果】
【０００５】  手で握るための部材と手の甲に掛けるためのそれぞれの役目を持つ二つの部材で構成され、ひとつの部材を手の甲に掛けることで、手で握る力が少なくて済み、握るための握力への負担を大幅に減ずることが出来る。
【０００６】  持ち運ぶ動作に対して多くのウェートを占める握力への依存を大きく減ずる事で、長時間の運搬や重量物の運搬等での負担を大きく減する事ができる。
【発明を実施するための最良の形態】
【０００７】  本願発明の係る構造の形態を図に表し、その図を用いて説明する。
図１は、本願発明の構造を表しており、図１（ａ）は正面図、（ｂ）は側面図、（ｃ）は所持時の正面図、（ｄ）は側面図を表している。【０００８】  図１（ａ）（ｂ）に示すように、袋物本体１には握るための持ち手２とループ状の手の甲に掛けるための掛け手３が設けられている。掛け手３は、柔軟性を持ち手の甲に負担を掛けないように手の甲に当たる部位４は幅広になっている。また、掛け手３のループの大きさは、持ち手２より大きくなっている。【０００９】  図１（ｃ）（ｄ）に示すように、持ち手２と掛け手３をクロスさせ、掛け手３を手５の甲に掛けた後に、持ち手２を手５で握るようになっている。
【図面の簡単な説明】
【００１０】
【図１】持ち手の構造を説明するための図
【符号の説明】
【００１１】  １−袋物本体
２−持ち手
３−掛け手
４−手の甲に当たる部位
５−手
【図１】
2010070259.tif 000003
(57)【要約】【目的】キャップを付けたままストローが使えるようにしようとした。【構成】キャップにストローを入れる穴をあけた。【選択図】図１
2010070262.tif 000002
【特許請求の範囲】
【請求項１】
ストローを入れる、穴のあいたペットボトルのキャップ
【発明の詳細な説明】
【発明の詳細な説明】
この発明はペットボトル用のキャップに穴をあけたものである。
本来のペットボトルのキャップをはずし、本発明のキャップを取り付ける。ストローをさし込むと、多少の揺れではこぼれない。
この発明は走行中の車において、簡単に水分の補給ができるように、開発されたものである。
【図面の簡単な説明】
【図１】本発明の斜視図である
【図１】
2010070262.tif 000003
(57)【要約】【課題】パンティ（下着）を一枚の平らな布状の形態にすることで立ったままで装着ができ、立ったまま脱ぐことができることを可能にし、腰痛及び膝痛のときの体の負担をなくすことができるパンティ（下着）を提供する。【解決手段】本発明は、図１に示すようにパンティ（下着）を一枚の平らな布状の形態にし、図２で示すように腰部を体に巻きつけテープ（Ａ）で接合する。腹部は、立ったままか、椅子などに軽く座った状態で、体の前に取り上げ、図３・図４で示すように腹部のテープ（Ｂ）と脇部のテープ（Ｂ）を接合させる。これで従来のパンティ（下着）の形態となり、トイレのときなどは従来のパンティ（下着）と同じ要領で上げ下げが行なえる。また接合部（Ａ）と接合部（Ｂ）のテープを外すことで、立ったままで簡単に脱ぐことができる。且つ、腰部の材質を伸縮性のあるものにすることで、腹筋を押さえる（ガードル）効果もあわせもつものである。【選択図】図１
2010070864.tif 000002
【特許請求の範囲】
【請求項１】
パンティ（下着）を着脱するとき、輪になっている腰部のところに足を出し入れするのではなく、パンティを一枚の平たい布状の形態として、それを体に巻きつけることで、立ったまま装着ができ、立ったまま脱ぐこともできることを特徴としたパンティ（下着）。
【請求項２】
このパンティ（下着）の、体に巻きつける腰部は、お腹を覆うべき幅をもち且つ伸縮性の
ある材質にすることで、腹筋を押さえる（ガードル）効果をも得ることを特徴としたパン
ティ（下着）。
【請求項３】
このパンティ（下着）は、装着することで腰部が輪につながるので、従来のパンティ（下
着）と同じ要領で上げたり下げたりができ、トイレなどに不便がないことを特徴としたパ
ンティ（下着）。
【発明の詳細な説明】
【技術分野】
【０００１】
本発明は、パンティ（下着）の腰部を輪にしないで切り開き、一枚の平たい布状にして、それを体に巻きつけることで、立ったまま装着ができ、接合部（Ａ）と接合部（Ｂ）のテープをはずすことで、立ったまま脱ぐこともできる。腰痛および膝痛のあるときの体の無理な動作の負担を防止する巻きパンティ（下着）に関するものである。
【背景技術】
【０００２】
従来のパンティ（下着）は着脱のとき、輪になっている腰部に足を出し入れして行なうものであるが、腰痛及び膝痛のあるときその動作は、とても痛くて辛いものがある。
【０００３】
しかしながら、腰部が切り開いてあったり、一枚の布状の形態であっても、腰部が自由に上げ下げできるものがなく、トイレなどでの不便があり、現在それを解決するパンティ（下着）はない。
【特許文献１】実開昭６１−１１７０３号公開
【発明の開示】
【発明が解決しようとする課題】
【０００４】
解決しようとする課題は、腰痛及び膝痛があるとき、パンティ（下着）の着脱で他人の手を借りることや、体や足に無理な動作の負担をかけることを防止することにある。
【課題を解決するための手段】
【０００５】
本発明は、パンティ（下着）の腰部を輪にせず、前面で切り開きます。股の部分に腹部にあたる部分をつなぎ一枚の平らな布状の形態であるパンティ（下着）とします。
【０００６】
本発明のパンティ（下着）は、一枚の平らな布状にすることにより、立ったまま装着でき、立ったまま脱ぐこともできる。また装着すると腰部がテープ（Ａ）で接合して輪になるので従来のパンティ（下着）と同じ要領で、上げたり下げたりが自由にでき、トイレなどに不便がないパンティ（下着）である。
【発明を実施するための最良の形態】
【０００７】
本発明のパンティ（下着）は図１に示されるように、腰前面部に腰部を接合させるためのテープ（Ａ）が施されています。腹部と脇部にも接合させるためのテープ（Ｂ）が施されています。
【実施例１】
【０００８】
パンティ（下着）替えのとき、図１の腰部を腰の後から前に向けて巻き、テープ（Ａ）で接合させる。このとき股部と腹部部分は、下に下がったままである。
次に、立ったまま、又は、椅子などに軽く腰掛け、下がっている腹部を前に引き上げ脇部のテープ（Ｂ）と接合させる。
【図面の簡単な説明】
【０００９】
【図１】パンティ（下着）の腰部を前面で切りひらき腹部ともきりはなして一枚の平らな布状にした内面の概観図である。
【図２】パンティ（下着）の装着のため、腰部を後から前に巻き、テープ（Ａ）で接合した概観図である。
【図３】パンティ（下着）の腰部をテープ（Ａ）で接合の上、腹部と脇部をテープ（Ｂ）で接合して装着完了の、前（腹部）からの概観図である。
【図４】パンティ（下着）として装着完了の、後（尻部）からの概観図である。
【符号の説明】
【００１０】
ア    パンティの腰ゴム部
イ    パンティの腰部
ウ    パンティの尻部
エ    パンティの股部
オ    パンティの腹部
カ    パンティの脇部  
Ａ    体（腰）の前面で腰部を接合するためのテープ
Ｂ    腹部と脇部を接合するためのテープ
【図１】
2010070864.tif 000003
【図２】
2010070864.tif 000004
【図３】
2010070864.tif 000005
【図４】
2010070864.tif 000006
(57)【要約】【課題】  従来のボクサー型ブリーフは、排尿口が縦型で前開き式構造のため、排尿時に排尿口の表布地と裏布地を左右に順次開放し、奥まった位置から陰茎を取出して用足しするため、排尿時の労力が複雑で不便で煩わしく、又、用足し後の陰茎の収納も同様の問題があった。  更に、従来から右利き用しか製造されていないため、左利きの者には不合理な問題があった。【解決手段】  本発明の解決手段として、  （ア）  排尿部の表布地１と裏布地２を組合せ中央付近に段差を設ける。  （イ）  表布地１と裏布地２の段差位置に横型の排尿口３を設ける。  （ウ）  排尿口３の両端を上方及び下方に順次開放して陰茎の取出しを行う。  以上のような構造からなる横型の排尿口にしたボクサー型ブリーフを特徴としたものである。【選択図】図１
2010070895.tif 000002
【特許請求の範囲】
【請求項１】
（ア）  排尿部の表布地１と裏布地２を組合せ中央付近で段差を設ける。
（イ）  表布地１と裏布地２の段差位置に横型の排尿口３を設ける。
（ウ）  排尿口３の両端を上方及び下方に順次開放して陰茎の取出しを行う。
以上の構成からなる横型の排尿口にしたボクサー型ブリーフである。
【請求項２】
排尿口の表布地１と裏布地２の前後を逆にした請求項１の横型の排尿口にしたボクサー型ブリーフである。
【請求項３】
排尿口は、表布地１と裏布地２の両端を湾曲状に切込みを入れた請求項１の横型の排尿口にしたボクサー型ブリーフである。
【発明の詳細な説明】
【技術分野】
【０００１】  この発明は、ボクサー型ブリーフ前部の排尿部の表布地と裏布地を組合せ、中央付近に段差を設けることで横型の排尿口を構成する。
本発明は、横型の排尿口にしたボクサー型ブリーフに関するものである。
【背景技術】
【０００２】  従来から製造されているボクサー型ブリーフは、ブリーフ前部に備えられている排尿口が縦型で前開き式構造のため、排尿時に排尿口の表布地を左側方向に、裏布地を右側方向に順次開放し、奥まった位置から陰茎を取出して用足しをしていたため、その労力が複雑で不便で煩わしく、又、用足し後の収納も同様の問題があった。
更に、従来から右利き用しか製造されていないため、左利きの者には不合理な問題があったが、各メーカーは、着心地易さの布地開発や型式のみに囚われていて、これら構造上等から来る各種の問題点を見過ごしていた。
本発明は、各メーカーが見過ごしていた、これらの構造上の欠点と不合理等の問題点を解決するため、排尿口に注目し開発に着手した。
【発明の開示】
【発明が解決しようとする課題】
【０００３】  従来の技術は、次のような欠点があった。
（ア）  複雑で不便で煩わしい構造上の欠点
（イ）  左利きの者の不合理な欠点
本発明は、以上のような欠点を無くすために発明したものである。
【課題を解決するための手段】
【０００４】  本発明の構成を説明すると、
（ア）  排尿部の表布地１と裏布地２を組合せ中央付近で段差を設ける。
（イ）  表布地１と裏布地２の段差位置に横型の排尿口３を設ける。
（ウ）  排尿口３の両端を上方及び下方に順次開放して陰茎の取出しを行う。
以上の構成からなる横型の排尿口にしたボクサー型ブリーフである。
【発明の効果】
【０００５】  本発明は、従来型の縦型構造とは異なる横型構造の排尿口を設けたことにより、排尿口の表布地と裏布地の両端を、上方及び下方に順次開放する単純な動作で陰茎の取出しと収納が円滑で容易に行えることを立証した。
又、排尿口が横型の左右対称で上下に開放する方式のため、左右いずれかの手を使用しても、陰茎の取出しが合理的に行えることを可能にし、左利きの者が日常感じていた不合理な欠点を解決した。
更に、中央部に位置した排尿口が左右対称となるため、均衡が取れていて見栄えが良い効果がある。
【発明を実施するための最良の形態】
【０００６】  以下、本発明を実施するための最良の形態について説明する。
（ア）  排尿部の表布地１と裏布地２を組合せ中央付近で段差を設ける。
（イ）  表布地１と裏布地２の段差位置に横型の排尿口３を設ける。
（ウ）  排尿口３の両端を上方及び下方に順次開放して陰茎の取出しを行う。
本発明は、以上のような構造である。
【実施例】
【０００７】  本発明の使用方法は、排尿口３の両端を上方及び下方に順次開放して陰茎を取出して用足しを行うものである。
尚、本発明の実施に当たって排尿口３の構造については、
（ア）  表布地１と裏布地２の前後を逆にしても排尿口は同様の効果がある。
（イ）  排尿口の表布地１と裏布地２の両端に湾曲状の切込みを入れると、より効果的な陰茎の取出しと収納が可能になる。
又、本発明は、従来型ブリーフ、男性用トランクス、すててこ等の応用が可能である。
【図面の簡単な説明】
【０００８】
【図１】  本発明を示した斜視図である。
【図２】  本発明を示した断面図である。
【図３】  本発明を示した実施例の斜視図である。
【図４】  本発明を示した実施例の断面図である。
【図５】  本発明を示した実施例の斜視図である。
【図６】  本発明を示した実施例の断面図である。
【符号の説明】
【０００９】  １  排尿部の表布地
２  排尿部の表布地に段差を付けた裏布地
３  排尿口
【図１】
2010070895.tif 000003
【図２】
2010070895.tif 000004
【図３】
2010070895.tif 000005
【図４】
2010070895.tif 000006
【図５】
2010070895.tif 000007
【図６】
2010070895.tif 000008
(57)【要約】      （修正有）【課題】小、中学校や又幼稚園、保育所で、後髪や側髪を、束ねたり三つ編みしている女の子が多くいる。その子供達が、校庭や園庭ではほとんど帽子を被っている。しかし、後髪や側髪の束ねた髪が邪魔をするのか、被りにくそうな児童や園児が多い。【解決手段】従来の帽子には、後面の下方に付いているゴム状のバンドや、生地に縫い込んであるゴム紐で頭から外れないようになっている型が多い。後髪や側髪を束ねたり三つ編みにして分けいる児童や園児の女の子には、その髪が帽子の中で盛り上がり被りにくそうで不便に思える。その不便を解消するために、束ねたり三つ編みしている女の子の、後面や側面に、本発明の、縦状にゴム紐の数本設けた開口を取り付け、上下どの位置に髪が束ねてあろうとも、その開口のゴム紐Ａの空間Ｂから、外に分けて出すことの出来る帽子を提供する。遊び時や、又運動会等で走ったり、風の強い日でも気にすることなく被れると思われる。【選択図】図１
2010070894.tif 000002
【特許請求の範囲】
【請求項１】
小、中学校や幼稚園、保育所の中で、髪を束ねたり三つ編みにして振り分けている女の子が多い。その子供達のために、後面側面に開口を設け、その開口ケ所から外に髪を出すことの出来る、被りやすい帽子を提供する。
【発明の詳細な説明】
【技術分野】
【０００１】  小、中学校の校庭で、又幼稚園や保育所の園庭で、子供達が飛び跳ねたり遊んだりしているのをよく見かける。
【背景技術】
【０００２】  その、ほとんどの子供達は、暑さ寒さしのぎの為であろう帽子を被っている。【０００３】  その帽子には、ほとんどが同じ型で作られている。【０００４】  その為に、髪を長く伸ばし、束ねたり三つ編みにしている子供達には、その髪が帽子の中で盛り上がり被りにくそうにしている。
【発明の開示】
【発明が解決しようとする課題】
【０００５】  髪を長く伸ばし、束ねたり三つ編みにしているその子供達に、帽子の後面や側面から、その髪を外に出すようにしてあげたならば被りやすいと思う。
【課題を解決するための手段】
【０００６】  その為に、帽子の後面や側面の中ほどに開口を設けて、そのカ所の空間から髪を外に出そうとするのである。
【発明の効果】
【０００７】  後面や側面の開口カ所の空間から髪を外に出したならば、走ったり、又強風時に被っている帽子が頭から外れ飛んでしまうことが無い。【０００８】  開口には、縦状にゴム紐が数本あるゆえに、どの空間から分けて髪を帽子の外に出しても、髪が帽子の中に戻ることは無い。
【発明を実施するための最良の形態】
【０００９】  開口の縦に細長い理由は、後面や側面に、髪を束ねたり三つ編みにしている付け根の位置が、上下のどこにあって、開口のゴム紐を分け空間から外に出すことが出来るのである。
【実施例】
【００１０】  図に示すように、縦にゴム紐を付けた細長い開口は、束ねたり三つ編みにしている髪を、後面の子供には（２）を、側面の子供には（３）の帽子を選び被ればよい。
【図面の簡単な説明】
【００１１】
【図１】  （１）ゴム紐が縦状に数本ある開口拡大図  （２）（１）を付けた帽子後面図  （３）（１）を付けた帽子側面図
【符号の説明】
Ａ    ゴム紐
Ｂ    空間
【図１】
2010070894.tif 000003
(57)【要約】【課題】寝たきり患者用の寝具はおむつ交換時などに便利なようにほとんど丸裸状態にしてしまうような開放型の物が多く、不自由さがあるために下着を着ける事が出来ない場合でも完全な開放型の寝具では局部を隠す事が出来ず、用便の度に羞恥心をあおる事も多い。【解決手段】股間部より前方に細い切り込みを設け、後方にはやや広めの切り欠き部を設けて、しゃがんだ状態で自然に局部及び臀部を露出可能に形成し、また前面及び後面にカバーを取り付けて各々のカバーを股間部で連結及び開放可能に設ける。【選択図】図１
2010070896.tif 000002
【特許請求の範囲】
【請求項１】
股間部より前方に細い切り込みを設け、後方にはやや広めの切り欠き部を設けて、しゃがんだ状態で自然に局部及び臀部を露出可能に形成し、また前面及び後面にカバーを取り付けて各々のカバーを股間部で連結及び開放可能に設けた前後カバーを有する切欠きパンツ。
【請求項２】
前面及び後面カバーをボタンで連結可能にした請求項１記載の前後カバーを有する切り欠きパンツ。
【請求項３】
前面及び後面カバーを面ファスナーで連結可能に設けた請求項１記載の前後カバーを有する切り欠きパンツ。
【発明の詳細な説明】
【技術分野】
【０００１】  本発明は介護用に使用されるパジャマ等の寝具のパンツに関するものである。
【背景技術】
【０００２】  介護用の寝具に関しては着脱を簡単にするように着物形やスカート形など様々なものが使用されている。【０００３】  しかしながらこれまで開発・使用されてきたのは、寝たきりなどの患者向けの物がほとんどだった。
【発明の開示】
【発明が解決しようとする課題】
【０００４】  ところが、寝たきり患者用の寝具はおむつ交換時などに便利なようにほとんど丸裸状態にしてしまうような開放型の物が多く、身体が不自由ではあるものの自力で用が足せる程度の患者が使うには屈辱的な状況が生まれる事もある。【０００５】  さらに、不自由さがあるために下着を着ける事が出来ない場合でも、完全な開放型の寝具では局部を隠す事が出来ず、用便の度に羞恥心をあおったりする事も多い。【０００６】  そのため用便が簡単に行え、また局部を適度に隠し、普段の動作に於いて羞恥心を呼び起こす事のない寝具が求められていた。【０００７】  本発明は普段の使用に於いては局部を十分にカバーでき、用便の際には脱ぎ着しなくとも簡単に用が足せる寝具のパンツを提供する物である。
【課題を解決するための手段】
【０００８】  本発明は上述した問題を解決するために次のような構成としている。【０００９】  パンツ本体の股間部より前方に小幅の切り込みを設ける。【００１０】  股間部より後方には幅広で楕円状に切り欠き部を設ける。【００１１】  パンツ前面には前カバーを取り付ける。【００１２】  パンツ後面には後カバーを取り付ける。【００１３】  上記カバーは連結帯で固定連結可能に設けてある。
【発明の効果】
【００１４】  本発明におけるパンツは、男性が立って行う小用の場合は、連結帯を外すだけで簡単に局部を露出させる事ができる。【００１５】  用便や女性の小用のように便座に腰を下ろしたり、しゃがんでの用足しの場合はしゃがむだけで臀部の押圧力で切り欠き部が左右に押し開かれ、局部が自然に露出するので特別な動作なしに用を足す事が可能である。
【実施例】
【００１６】  以下本発明の実施例を、図面を元に説明する。【００１７】  図１は本発明の正面図、図２背面図、図３は正面説明図、図４は背面説明図、図５は使用時の位置関係図、図７は立位小用時の位置関係図、図８は座位時の位置関係図である。【００１８】  上部開口部をゴム等で伸縮自在に設けたパンツ本体１の前面に、中央下部に連結帯２を設けた前カバー３を取り付ける。【００１９】  当該前カバー３はパンツ本体１よりも僅かに幅を狭く設けてある。【００２０】  連結帯２にはボタンホール４を設けてある。【００２１】  パンツ本体１の後面には中央下部に連結帯５を設けた後カバー６を取り付ける。【００２２】  当該後カバー６はパンツ本体１の幅と等しいかそれより僅かに広く形成してある。【００２３】  連結帯５にはボタン７を取り付けてある。【００２４】  上記ボタンホール４及びボタン７は連結帯２，５を連結するために設けた物で、面ファスナー等を利用しても同様の効果を示す。【００２５】  パンツ本体１の前面には股間部から前側に細い切り込み８を設けてある。また後面には股間部より上方に向けて楕円状の切り欠き部９を設けてある。【００２６】  本発明の使用に於いては、通常のパンツと同じように履き、前カバー３と後カバー６との連結帯２，５同士を連結して使うと良い。【００２７】  男性の立位での小用の場合、連結帯２，５を離して前カバー３をパンツ１の腹側に差し込んで固定し、そのまま局部を外に出して用を足せばよい。【００２８】  座位で用いる場合は前カバー３を腹側に差し込んで固定し、また後カバー６は腰側に差し込んでそのまま座ると臀部の押し圧で切り欠き部９の開口部分が外側に押し開かれ（矢印Ａ）、何の力を加えなくても局部や臀部が露出するので、そのまま用を足せばよい。【００２９】  用を足した後はそのまま立ち上がると開口部分は元に戻るので、前後のカバー３，６を取り出して連結帯２，５を連結すればよい。【００３０】  本発明は用足しの際にいちいちパンツを下げ上げする必要が無く用を足せるので、身体が不自由な人々の動作を楽にし、負担を軽減可能な物である。
【図面の簡単な説明】
【００３１】
【００３２】
【図１】  正面図
【図２】  背面図
【図３】  正面説明図
【図４】  背面説明図
【図５】  使用時の位置関係図
【図６】  立位小用時の位置関係図
【図７】  座位時の位置関係図
【符号の説明】
１      パンツ本体
２      連結帯
３      前カバー
４      ボタンホール
５      連結帯
６      後カバー
７      ボタン
８      切り込み
９      切り欠き部
【図１】
2010070896.tif 000003
【図２】
2010070896.tif 000004
【図３】
2010070896.tif 000005
【図４】
2010070896.tif 000006
【図５】
2010070896.tif 000007
【図６】
2010070896.tif 000008
【図７】
2010070896.tif 000009
(57)【要約】【課題】  地球には太陽熱が降り注ぎ、地球を暖めています。そして陸地や大洋を暖め、太陽熱で海、河、湖、陸地の水分を蒸発させて、雨、雪、霧、となり地表に降ります。地球の水の９７，４％は海にあります。雨、雪、霧は陸地より海に降ります。砂漠は陸地の１／４〜１／３を占めます。陸地の広大な面積が砂漠のような乾燥地域と険しい山岳地帯と氷に閉ざされた極地です。最近では都市が自動車、ビルの顕熱の増加で砂漠化してきています。【解決手段】  地球の乾燥地域は非常に広大な面積です。この広大な乾燥地域にエアーワッシャを設置して、海水をエアーワッシャで噴霧してやれば、乾燥地域の空気を洗浄して綺麗にして湿度を与え、雨を降らせることが出来ます。砂漠に雨を降らせることが地球温暖化を防ぎ、乾燥地域がなくなります。人々が、農耕が出来るようになると地球の食糧問題、環境問題、皆解決します。【選択図】図１
2010252767.tif 000002
【特許請求の範囲】
【請求項１】
乾燥地域にエアーワッシャを設置して、エアーワッシャに海水を噴霧して、乾燥地機の空気に湿度を与えて塵埃を洗い落とし清浄にして、雨を降らす様にした装置。
【発明の詳細な説明】
【技術分野】
【０００１】  この発明は、乾燥地帯に高速気流用エアーワッシャを設置して、乾燥地帯の空気に海水を噴霧して、乾燥地域の空気に湿度を与え、気化熱で気温を下げ、雨を降らす様にした人工降雨装置。
【背景技術】
【０００２】  従来、人工降雨は雲に薬品をまき雨の結晶を成長させて雨を降らしていました。
【発明の概要】
【発明が解決しようとする課題】
【０００３】  今までの乾燥地域の緑化は如何にすくない水で植物を育てるか、乾燥に強い植物を植えて緑化するかでした。世界の乾燥地帯は陸地の１／３〜１／４と言われています。この広大な土地に雨を降らすことにより乾燥地帯をなくし、人工増加による飢餓の問題もなくする。
【課題を解決するための手段】
【０００４】  地球上の砂漠と呼ばれる乾燥地域は全陸地面積の１／４〜１／３と言われています。近年都市では自動車や電車の交通機関の発達で顕熱の発生が多くなり、オフィスビルの普及で建物のコンクリート化、オフィスビル内の機械化によるコピー機、コンピュータ、照明等から発生する顕熱、道路のアスファルト舗装による顕熱の増加で砂漠化して空気は乾燥して来ています。砂漠化を促進している、この顕熱をエネルギーにして、これらの乾燥地域の空気に海水をエアーワッシャで噴霧して、乾燥地域の空気に湿度を吸収させて、気化熱で気温を下げて、雨を降るようにした人工降雨装置。  上記目的を達成するために、本発明は乾燥地域に特許高速気流用エリミネータを備えた高速気流用エアーワッシャを数多く備え、海水を噴霧して、乾燥地域の気温を気化熱で下げて湿度を与えます。２４時間エアーワッシャで海水を噴霧して運転することにより、乾燥地域の気温を下げ湿度を上げます。夕方太陽が沈み顕熱がなくなると、気温が下がり、空気中の水分が結露して水滴になり、乾燥地域の地面に落ちます。日中太陽の顕熱で気温が上がると、地面に落ちた水滴を蒸発させ、乾燥地域の空気の温度と湿度を上げます。この乾燥地域の空気にエアーワッシャで海水を噴霧することを続けると、乾燥地帯の空気が段々と湿度が高くなり、太陽が沈み顕熱がなくなると、結露する水滴も多く露となり、地面に落ちます。朝又太陽が昇ると水滴が蒸発して、乾燥地域の空気の湿度が段々と高くなります。毎日エアーワッシャを乾燥地域の空気に繰り返すことにより、乾燥地域の空気に湿度を持たすことができ、乾燥地域の一日の気温差が少なくなります。
【発明の効果】
【０００５】  エアーワッシャ内に海水を噴霧して混合気流にして運転することにより、乾燥地域の空気温度を下げ、湿度を上げます。夕方太陽が沈み顕熱がなくなると、放射冷却で気温が下がり、空気中の水分が結露して水滴になり、乾燥地域の地面に落ちます。日中太陽の顕熱で気温が上がると、地面に落ちた水滴を蒸発させ、乾燥地域の空気の湿度を上げます。乾燥地域の空気にエアーワッシャ内で海水を噴霧することを続けると、乾燥地域の空気が段々と湿度も高くなり、塵埃を落とし清浄になります。太陽が沈み顕熱がなくなると気温も下がり、結露する水滴も多くなり、露となり地面に落ちます。太陽が昇ると水滴が蒸発して、乾燥地域の空気の湿度が段々と高くなります。毎日エアーワッシャを繰り返すことにより、乾燥地域の空気に湿度を持たすことになり、顕熱を潜熱に変えることができて、雲も発生するようになり、乾燥地域の空気の温度差が少なくなります。地球の乾燥地域の空気に、湿度を持たすことにより、雨を降らすことが出来、乾燥地域の厳しい気候も人間が住むのに快適な気候に出来て、農耕が出来る様になります。農耕が出来ることにより、食糧問題も解決できて、炭酸ガスの消費を増やして温室ガスを減らすことが出来、地球温暖化を防ぎ、地球環境を守る事が出来ます。乾燥地域に雨を降らすことは人口問題、食糧問題も解決出来て、地球の環境問題も解決します。現在海は主に海上交通、漁業にしか利用されていませんが、太陽エネルギーと海水を利用した地球温暖化防止、水資源確保に利用すべきと考えます。
【図面の簡単な説明】
【０００６】
【図１】  本発明のエアーワッシャ斜視図です。
【図２】  本発明の運転配管図面です。
【発明を実施するための形態】
【０００７】  以下、本案の実施の形態について説明する
エアーワッシャ（空気洗浄室）に流れ込む空気がエアーワッシャ室（空気洗浄室）に入り、スプレーノズルで海水を噴霧されて、洗浄加湿されて混合気体になり、下流側に設けられた高速気流用エリミネータで空気と海水に分離されて、加湿された清浄な空気のみが出て行く。
【図１】
2010252767.tif 000003
【図２】
2010252767.tif 000004
(57)【要約】【課題】ブルーベリー果実が含有する有益成分を、醸造酢で抽出すると、抽出に長時間を要するため、色調が劣化する。また果皮及び果肉が含有する有益成分が未利用である。【解決手段】ブルーベリー果実を真空凍結の状態で乾燥させ、これを粉末状態に加工したものを、醸造酢と混合して抽出することにより解決した。【選択図】図１
2010252776.tif 000002
【特許請求の範囲】
【請求項１】
ブルーベリー果実を真空凍結の状態で乾燥した後、粉砕し、その果実粉末を醸造酢と混合することにより、短時間で有益成分が抽出され、色調の劣化が少ないことを特徴とするブルーベリー果実酢の製造方法。
【請求項２】
ブルーベリー果実を醸造酢で抽出することにより、果皮及び果肉に含まれる有益成分が有効利用されることを特徴とする請求項１によるブルーベリー果実酢。
【発明の詳細な説明】
【技術分野】
【０００１】本発明はブルーベリー果実を利用したブルーベリー果実酢の製造方法及びブルーベリー果実酢に関するものである。
【背景技術】
【０００２】これまで市販されているブルーベリー果実酢はブルーベリー果実を醸造酢に混合して抽出した商品及び醸造酢にブルーベリー果汁や蜂蜜等を添加して製造した商品等が知られている。
又、特許文献としてはブルーベリー果実を原料とし、酸性水溶液を用いて抽出したブルーベリー抽出エキスの製造方法（特許文献１参照）クエン酸含有飲料にブルーベリー果汁を混合したクエン酸含有飲料及びその製造方法（特許文献２参照）がある。【０００３】
【特許文献１】特開２００１−４６０３０
【特許文献２】特開２００６−２５４８０９
【０００４】しかしながら、以上の市販品や特許文献ではブルーベリー果実を真空凍結の状態で乾燥させた原料を利用したブルーベリー果実酢は全く見られない。ブルーベリー果実は有益なアントシアニン及びクエン酸やキナ酸を含有しているので、これを短時間で抽出することにより色調が優れ、また未利用であった果皮や果肉の有益成分が抽出されたブルーベリー果実酢が求められている。
【発明の開示】
【発明が解決しようとする課題】
【０００５】ブルーベリー果実には有益成分であるアントシアニンやクエン酸及びキナ酸が含有されている。従来これらの有益成分を抽出させるため醸造酢とブルーベリー果実を混合して、浸透圧で抽出している。このため飲用まで３〜６ヶ月間の長時間を要している。アントシアニンは熱風や長時間の紫外線にさらされると劣化する特性があり、熱風乾燥した原料の利用や長時間の紫外線にさらされる期間での抽出では、ブルーベリー果実特有の赤紫色の色調が劣化する。また醸造酢にブルーベリー果汁を混合する製造方法では搾汁後の果皮や果肉は廃棄されていてブルーベリー果実の有益成分が有効活用されていない。
【課題を解決するための手段】
【０００６】ブルーベリー果実を真空凍結の状態で乾燥させることにより、果皮や果肉の細胞膜が破壊された乾燥ブルーベリー果実を得る。次に乾燥ブルーベリー果実を粉末状に加工する。このブルーベリー粉末を醸造酢と混合すると、細胞膜が破壊されているため短時間で有益成分が抽出される。また細胞膜を破壊しての抽出であるので、未利用であった果皮及び果肉に含まれる有益成分も抽出される。
【発明の効果】
【０００７】本発明によるブルーベリー果実酢は細胞破壊により短時間でブルーベリー果実の有益成分が抽出されるので、アントシアニンの色調劣化が少ない。【０００８】また醸造酢にブルーベリー果実から搾汁した果汁を添加して製造する場合には、搾汁後の果皮や果肉は廃棄されていた。真空凍結による乾燥粉末の果皮や果肉には未利用のビタミン類やミネラル分等の有益成分が含有されているので、これを醸造酢で抽出することにより、未利用の有益成分が抽出され、廃棄されていた果皮及果肉が有効利用される。【０００９】ブルーベリー果実酢に含有されるアントシアニンは、眼科や循環器科及び悪性腫瘍関係の病気の予防等に今後貢献することが期待されている。
【発明を実施するための最良の形態】
【００１０】本発明を実施するための最良の形態を図１に基づいて説明する。
ブルーベリー果実は品種や地域により６月から９月頃に収穫する。色調の優れた成熟果実を手作業で粒単位に収穫し、洗浄選別のうえ、冷凍庫で凍結保存する。【００１１】凍結保存されたブルーベリー果実が一定量の加工数量に達したら、真空凍結乾燥機により乾燥ブルーベリー果実に加工する。【００１２】次に、乾燥ブルーベリー果実を粉砕機により、粉末状態に加工する。【００１３】粉末状態に加工されたブルーベリー果実を酸濃度が４，５％以上の醸造酢と混合することにより有益成分が０，１時間から２４，０時間の短時間で抽出される。抽出済みのブルーベリー果実粉末は濾過装置により除去する。次に醸造酢濃度の調整を行い、最後に瓶詰めにする。
なお少量の場合はフィルター袋に詰めて抽出しても良い。また醸造酢濃度の調整前に蜂蜜や酸味料及び香料等を適宜配合することもできる。
醸造酢には黒酢及びきび酢は包含されるものとする。
【実施例】
【００１４】重量の異なるブルーベリー果実粉末を酸濃度４，５％の醸造酢１００ｃｃで抽出し、重量比毎の抽出液を得た。得られた抽出液を水で５倍に希薄して、被験者で試飲して、色調、風味、酸味について意見を求めた結果は表１とおりであった。【００１５】
【表１】
2010252776.tif 000003
以上の結果から重量比で２，５％のブルーベリー果実粉末を醸造酢で抽出することにより良好な結果が得られた。
【図面の簡単な説明】
【００１６】
【図１】ブルーベリー果実酢の製造方法を示した行程図である。
【図１】
2010252776.tif 000004
(57)【要約】      （修正有）【課題】オカラを混合した味噌を提供する。【解決手段】廃棄されてきたオカラを味噌の材料に混合することを特徴とするオカラ混合味噌であって、味噌の製造工程において、原料の大豆を選別・洗浄・水浸漬・水切の後、蒸煮する工程でオカラを混合する。オカラを味噌に混合することにより、オカラを廃棄物とせず、味噌の材料として活用することができる。【選択図】なし【特許請求の範囲】
【請求項１】
産業廃棄物として棄てられていたオカラを味噌の材料として発明した物である。
【発明の詳細な説明】
【技術の分野】
【０００１】  味噌を造る時に大豆とオカラを混ぜ合せるので、従来の味噌の技術で十分である。
【背景技術】
【０００２】  味噌の原料である大豆が大半が輸入大豆であり、原料である大豆がバイオ、ガソリンに利用されるようになり、大豆の値上げが深刻な問題である。そこで、今まで廃棄されてきたオカラを利用する事にしたのである。
【発明の開示】
【発明が解決しようとする課題】
【０００３】  豆腐を造る時に出るオカラは豆腐屋さんでも産業廃棄物としてやっかい物としてきた。そこで、大豆の値上げで味噌の材料にと着目したのである。
【課題を解決するための手段】
【０００４】  オカラを廃棄物とせず材料として見直しをする時期が来て、オカラが味噌、醤油の材料として地球に優しいエコ商品となるのである。
【発明の効果】
【０００５】  大豆の輸入が今後ますます厳しくなり、日本の食文化がおびやかされる事になる。そこで味噌の材料として大豆と混合して味噌を造る事にしたのであり、試作では成功を収めたのである。
【発明を実施するための最良の形態】
【０００６】  従来廃棄されてきたオカラを見直し、色々な材料として考える時が来た。そこで最適なのが日本人には欠かせない味噌の材料にオカラを混合させる事で、大豆の値上りを少しでもカバー出来るので、オカラは腐るのが早い点が欠点であるが、冷蔵庫で保存が効くのである。
【実施例】
【０００７】  大豆を蒸煮する時にオカラも蒸煮して冷却、種麹を香煎し出麹、玉つぶし、仕込み、熟成、調整、製品となる。
【産業上の利用可能性】
【０００８】  大豆輸出が、大豆からバイオ、ガソリンの作物に切替え、大豆の作付が大幅に減り、大豆大半を輸入に頼る日本においては、大豆の値上りで味噌、醤油の値上げは避けられない。値上げを抑えるためにオカラを材料に、と考案したのである。
【図面の簡単な説明】
【０００９】  製造工程
2010252775.tif 000002
【手続補正書】
【提出日】平成21年7月13日(2009.7.13)
【手続補正１】
【補正対象書類名】明細書
【補正対象項目名】０００９
【補正方法】変更
【補正の内容】
【０００９】
【図１】製造工程
【手続補正２】
【補正対象書類名】図面
【補正対象項目名】全図
【補正方法】追加
【補正の内容】
【図１】
2010252775.tif 000003
(57)【要約】      （修正有）【課題】毎日、混ぜなくてはならないぬか床の面倒な作業を無くす。また、従来のぬか床は、漬けた野菜からでる水分の増加によって、ぬか床の風味がすっぱくなるが、それを改善するぬか床をつくる。【解決手段】醗酵・熟成させたぬか床を乾燥させ、ぬか床の水分を無くすことで、すっぱくなる原因の酢酸菌の増加を遅らせる。また、カビなどの雑菌繁殖も減らすことができる。【選択図】なし【特許請求の範囲】
【請求項１】
醗酵・熟成させた米ぬかその他材料を乾燥させたぬか床。
【発明の詳細な説明】
【発明の詳細な説明】
【産業上の利用分野】
【０００１】この発明は、醗酵・熟成させた米ぬかその他材料を乾燥させた、ぬか床に関するものである。
【背景技術】
【０００２】従来のぬか床は水分を含んでおり、野菜を漬けることによりさらに水分が増えると、酸素が不足し、酢酸菌が増えてすっぱくなる。その度、毎日混ぜないとぬか漬の味、風味が損なわれる原因となっていた。
【発明が解決しようとする課題】
【０００３】従って、本発明はその欠点をなくすため、醗酵・熟成させたぬか床の水分をなくし、乾燥させることで酢酸菌が抑制され、早期増殖を防ぐことができる。
【課題を解決しようとする手段】
【０００４】本発明は、いりぬかにミネラル、きな粉、食塩、米麹を加え、混合する。この混合したものに、水分を加え攪拌し発酵させる。期間は、常温で約１〜２週間で、甘酸っぱい匂いがすると醗酵が終わる。その醗酵したぬか床をさらに２〜３週間熟成させ、水分を無くすため、この醗酵・熟成ぬか床を乾燥機または自然乾燥させる。
乾燥されたぬか床でも、従来のぬか床と同じようにぬか床ができ、すっぱくなる時期が遅くなる事を発見した。
【発明の効果】
【０００５】毎日、混ぜなくてよい。乾燥しているため、手にぬかがつきにくく、衛生的。水分が増えたら、乾燥させ、繰り返し利用でき、安価で経済的である。
【図面の簡単な説明】
【図１】本案の斜視図
【図２】本案の縦断面図
【符号の説明】１．  樽
２．  ぬか床
３．  蓋
４．  いりぬか
５．  ミネラル
６．  きな粉
７．  食塩
８．  米ぬか
【図１】
2010252772.tif 000002
【図２】
2010252772.tif 000003
(57)【要約】      （修正有）【課題】主として、家庭内で使用する日用品を壁などの垂直面を利用して整理、保持するホルダーを提供する。【解決手段】金属板あるいはプラスチックシート及びその他成型できる材料を用い、テーパー状の円錐台形もしくは角錐台形に形成し、上面部、底面部及び正面部に開口部を設け、底面部には保持する日用品のストッパーと他の日用品を掛けるフック状突起部を設けたホルダーとし、日用品を平面上の場所をとらず一定任意の所に保持するテーパー形状のホルダー。【選択図】図１
2010252900.tif 000002
【特許請求の範囲】
【請求項１】
金属板あるいはプラスチックシート及びその他成型できる材料を用い、テーパー状の円錐台形もしくは角錐台形に形成し、上面部、底面部及び正面部に開口部を設け、底面部には保持する日用品のストッパーと他の日用品を掛けるフック状突起部を設けたホルダーとし、日用品を平面上の場所をとらず一定任意の所に保持するテーパー形状のホルダー。
【発明の詳細な説明】
【技術分野】
【０００１】
この発明は、各種の商品、例えば固形物、容器、印刷物、アクセサリー、携帯電話など、多くの日用品を保持するホルダーに関するものである。
【背景技術】
【０００２】
従来、当然のことに日用品は平面に置かれていた。従って垂直面、例えば壁などを日用品の保持に利用されることは少なかった。例えば石鹸に例をとれば、平面状に置くプラスチック製の石鹸ケースに乗せられ、平面上に置かれていた。また、石鹸に限らず、保持するケースのサイズは利用する日用品のサイズにより汎用的ではなく限定的であった。
【発明の概要】
【発明が解決しようとする課題】
【０００３】
従来、平面のスペースは限られており、それに反し垂直面は利用されることが少なかった。従って、平面上に置かれる日常品は、狭いスペースに整理しがたい状態にあった。それを整理しやすく、また一定の場所に保持することを目的とする。
【課題を解決するための手段】
【０００４】
金属板、あるいはプラスチックシートを、本発明（１）のような形状とし、（１）の上部サイズと比較し、下部サイズがテーパー状に小さくなっていることで、どのような形状の製品もホールドし、保持できるようにしたホルダーである。利用する日用品により、サイズ及びテーパーの角度は自由に選択でき、商品化できる。
【発明の効果】
【０００５】
例えば家庭内においては、平面的部分、床、机やテーブルの上部、あるいはキッチンの調理部分などと比較し、垂直部分、つまり壁などの利用度は低い。したがって平面部は混雑し、時としてなにをどこに置いたかを探すのに時間がとられることが多い。
本発明は、できるだけ垂直面の壁を利用し、小物から本発明のテーパーホルダーに収まるサイズの商品を保持し、かつ内容物が引き出しなどの隠れた場所にあるのでなく、目線に会う開口部より何であるか見やすく、取り出せるように考案されている。
【図面の簡単な説明】
【０００６】
【図１】本発明の上面図
【図２】本発明の正面図
【図３】本発明使用時の断面図
【図４】本発明使用時の正面図
【発明を実施するための形態】
【０００７】
以下、本発明を実施するための最良の形態について説明する。
イ、日常品を保持するよう、プラスチック板あるいは金属板により、楕円形でテーパー状の筒形状の本体（１）を設ける。
ロ、上面部、底面部は（２）及び（３）のようの開口部とし、底面部にはフック状の突起
部（４）を設ける。
ハ、テーパー状にするため、上面開口部（２）は、底面開口部（３）よりは、開口部面積は大きくなっている。
ニ、本体（１）の全面部は、上から下まで縦長の全面開口部（５）となっている。
ホ、本体（１）を壁等に取り付けるため、取り付け穴（６）を設ける。
発明は以上の構造よりなるので本発明を使用するときは、本体（１）の上部開口部（２）
より小さく、底面開口部（３）より大きいサイズの日用品であれば、簡単に上部より差し入      
れて保持することが可能となり、取り出すときは全面開口部より指を入れ、押し上げることで容易に取り出すことが可能で、また底面部のフック状の突起に日用品を掛けることも可能となる。例えばホルダーに石鹸（７）を入れ、フック状突起にたわしを掛けるなどである。
本発明におけるホルダーの形状は、汎用的に使用されるのを目的としているため、本体の
テーパーの角度も縦、横、高さも規定していない。石鹸（７）が使用するに従い、そのサイズが小さくなっても本ホルダーに保持され続ける。
正面部及び底面部には指が入る幅以上の開口部を設けているため、保持されるものが見えると共に、指で持ち上げ、取り出せるような形態とする。また、上部開口部より底面部へのテーパーは、直線である必要はなく、曲線であっても目的を達せられる形態であればよい。
【符号の説明】
【０００８】
１  本発明の本体
２  上面開口部
３  底面開口部
４  フック状突起部
５  正面開口部
６  日用品固形物（例えば石鹸等）
７  容器に入った日用品（例えばシャンプー等）
【図１】
2010252900.tif 000003
【図２】
2010252900.tif 000004
【手続補正書】
【提出日】平成21年6月15日(2009.6.15)
【手続補正２】
【補正対象書類名】明細書
【補正対象項目名】０００６
【補正方法】変更
【補正の内容】
【０００６】
【図１】本発明の上面図
【図２】本発明の正面図
【図３】本発明使用時の正面図（例１）
【図４】本発明使用時の断面図
【図５】本発明使用時の正面図（例２）
【手続補正３】
【補正対象書類名】図面
【補正対象項目名】全図
【補正方法】変更
【補正の内容】
【図１】
2010252900.tif 000005
【図２】
2010252900.tif 000006
【図３】
2010252900.tif 000007
【図４】
2010252900.tif 000008
【図５】
2010252900.tif 000009